(57)【要約】【課題】種苗の集中管理、運送が便利で、種苗単位全体を直接畑に移植する重畳式苗育成装置を提供する。【解決手段】重畳式苗育成装置は、少なくとも二個の形式が同じの穴パレットから構成され、各一穴パレット上は互い違いで、且つ規則を具えた方式で配置した数個の穴格子と穿孔を具え、一穴パレットの穴格子を別の一穴パレットの穿孔箇所に重畳する。もしくは少なくとも二個の形式が相対する穴パレットから構成され、且つその穴パレットと穴パレットの間の穴格子は相対して交錯する方式で配置され、更に各一個の穴パレットには穴格子と穴格子の間の部位にその他穴パレットの穴格子と相対する穿孔を設置し、また各穴パレットの間の穴格子位置には重畳されずにその対応する穿孔内には相対して挿入できる。すべての穴パレットを重畳方式によって集中管理もしくは運送、更に穴パレット上の種苗を穴パレットと共に直接畑に移動設置して植える。【選択図】図３
0003142187.tif 000002
【実用新案登録請求の範囲】
【請求項１】
少なくとも二個の形式が同じの穴パレットから構成された重畳式苗育成装置において、そのうち、各一穴パレット上はすべて互い違いで、且つ規則を具えた方式で配置された数個の穴格子と穿孔を具え、一穴パレットの穴格子を別の一穴パレットの穿孔箇所に重畳することを特徴とする重畳式苗育成装置。
【請求項２】
少なくとも二個の形式が相対する穴パレットから構成された重畳式苗育成装置において、そのうち、穴パレットと穴パレットの間の穴格子は相対して交錯する方式で配置し、各一個の穴パレットは穴格子と穴格子の間の部位にその他の穴パレットの穴格子と相対する穿孔を設置することを特徴とする請求項１記載の重畳式苗育成装置。
【請求項３】
前記各一組には二個の穴パレットを含み、その二個の穴パレット上の穴格子は単一の穴格子交錯方式で配置することを特徴とする請求項１もしくは２記載の重畳式苗育成装置。
【考案の詳細な説明】
【技術分野】
【０００１】
本考案は、重畳式苗育成装置に関するもので、特に一種の穴パレットを単位として、種苗を集中管理しやすく、及び単位の種苗全体を直接畑に移植する重畳式苗育成装置に係る。
【背景技術】
【０００２】
近年、経済構造が変わり、農業では人手不足に直面し、人件費の値上がり、経営規模の小さすぎが生産コストを下げられない問題になっている。加えて生活レベルが上がり、農業生産は分業へ移行しているが、農民は苗の移植に対しての要求が高いため、種苗産業は依然として自動化農業生産の根本となっている。
【０００３】
そのうち、穴パレット苗育成技術は、種を節約し、種苗の生長を一致させ、病害虫を減らし、移植活性率を高め、収穫を早めると言う長所がある。そのため、農民は苗育成センターから穴パレット苗を購入するのが増え、種の生産自動化発展に役立っている。図１及び図２に示すのは、現在の穴パレット苗育成技術領域の一般公知の“穴パレット”構造二種である。
【０００４】
これら二種の公知の穴パレット１１は、主に一個の特定外形サイズのパレット体上に複数個の特定深度を具えた穴格子１２を成形し、穴格子１２全体の配列を利用して子盆に入った種苗２０を移動する方式で苗を育成するか(図１参照）、もしくは直接種を穴格子１２に蒔いて種苗２０を穴格子１２で発芽させる方式で苗を育成する(図２参照）。種苗２０が一定程度に生長したした後、畑に植え替えるのに便利である。
【０００５】
原則的に穴パレットの穴格子の大きさ、隙間は直接その苗の育成数に影響する。例として同じサイズの穴パレット上の穴格子の距離を縮めれば、穴格子の数を増やすことができ、当然育てられる苗の数も増える。そのため、公知の穴パレットは穴格子が“井”字型の排列設計を多く採用しており、經線と緯線の穴格子を緊密に配列して穴距離を小さくしている。
【考案の開示】
【考案が解決しようとする課題】
【０００６】
解決しようとする課題は、穴格子ピッチを小さくして穴格子の数を減らした穴パレット設計は、苗育成の数を増やすことができるが、穴格子の間の距離が小さすぎると、苗の育成に影響出るばかりか、穴パレット上の種苗ピッチと種苗を畑の予定移植のピッチが合わないため、種苗を穴パレットから畑に移植する上で、種苗の管理及び移植作業に大きな面倒をかけることになる点である。
【課題を解決するための手段】
【０００７】
本考案は、少なくとも二個の形式が同じの穴パレットから構成され、各一穴パレット上は互い違いで、且つ規則を具えた方式で配置した数個の穴格子と穿孔を具え、一穴パレットの穴格子を別の一穴パレットの穿孔箇所に重畳する。もしくは少なくとも二個の形式が相対する穴パレットから構成され、且つその穴パレットと穴パレットの間の穴格子は相対して交錯する方式で配置され、更に各一個の穴パレットには穴格子と穴格子の間の部位にその他穴パレットの穴格子と相対する穿孔を設置し、また各穴パレットの間の穴格子位置には重畳されずにその対応する穿孔内には相対して挿入できる。すべての穴パレットを重畳方式によって集中管理もしくは運送、更に穴パレット上の種苗を穴パレットと共に直接畑に移動設置して植えることを最も主要な特徴とする。
【考案の効果】
【０００８】
本考案の重畳式苗育成装置は、下述の利点がある。
１.各一組の重畳式苗育成装置は、平面空間に配列する穴格子の数量を複数個の穴パレット上に分けるため、各穴パレット上の種苗ピッチが大幅に広がり、種苗に良好な生長空間を提供する。
２.各穴パレット上の穴格子ピッチを畑に植えた後の生長に必要なピッチに合わせるため、種苗移植後の栽培に有利である。
３.単位の種苗全体を直接畑に移植することができるので、種苗移植作業の効率が大幅に向上する。
4.穴パレットすべてを重畳方式で集中管理もしくは運送することができる。
【考案を実施するための最良の形態】
【０００９】
種苗の集中管理が便利で、種苗単位全体を直接畑に移植できる重畳式苗育成装置を提供することを本考案の目的とする。上述の目的のため、各一組の重畳式苗育成装置は、少なくとも二個の形式が同じの穴パレットから構成され、その各一穴パレット上には互い違いで、且つ規則を具えた方式で配置された数個の穴格子と穿孔を具え、一穴パレットの穴格子を別の一穴パレットの穿孔箇所に重畳する。もしくは少なくとも二個の形式が相対する穴パレットから構成され、且つその穴パレットと穴パレットの間の穴格子は、相対して互い違いの方式で配置され、及び各一個の穴パレットは、穴格子と穴格子の間の部位にその他の穴パレットの穴格子と相対する穿孔を設置し、各穴パレットの間の穴格子位置は重ならず、その対応する穿孔内に嵌入する。
【００１０】
各一組の重畳式苗育成装置は、各穴パレットの穴格子に種苗を植え込み、すべての穴パレットを重ねる方式で集中管理もしくは運送し、及び種苗の生長が一定程度になった後、穴パレット上の種苗を穴パレットと共に直接畑に移して植える。
【００１１】
本考案の特徴は、本考案の図式及び実施例の詳細で明らかにする。本考案の「重畳式苗育成装置」は、穴パレット苗育成技術の種苗設置構造で、主に種苗の集中管理がしやすく、種苗単位全体を直接畑で移植する重畳式苗育成装置である、本考案では更に以下二種の良好な実施方式を具える。
【実施例１】
【００１２】
図３に示すとおり、苗育成装置１０全体は、穴パレット１１を単位として、少なくとも二個の形式が同じの穴パレット１１で構成される。そのうち、各一穴パレット１１上はすべて互い違い、且つ規則を具えた方式で配置した数個の穴格子１２と穿孔１３を具える。同時に図４に示すとおり、一穴パレット１１の穴格子１２を別の一穴パレット１１の穿孔１３箇所に重畳する。
【実施例２】
【００１３】
図５に示すとおり、苗育成装置１０全体は、穴パレット１１を単位として、少なくとも二個の穴パレット１１から構成される。その穴パレット１１と穴パレット１１の間の穴格子１２は、相互に互い違いで配置され、及び各一個の穴パレット１１は穴格子１２と穴格子１２の間の部位にその他の穴パレット１１の穴格子１２が相対して対応する穿孔１３を設置し、各穴パレット１１の間の穴格子１２位置は重畳せず、またその他穴パレット１１と相対する穿孔１３内に相対して入れる。
【００１４】
図６に示すとおり、各一組の苗育成装置１０は、各穴パレット１１の穴格子１２に種苗２０を植え、必要時には図７に示すように、すべての穴パレット１１を重ねる方式で集中管理もしくは運送し、種苗２０の生長が一定程度になったら、図８に示すとおり、個別に穴パレット１１上の種苗２０を穴パレット１１と共に直接畑に植える。
【００１５】
図５から図８に示す実施例に於いて、各一組の苗育成装置１０は、二個の穴パレット１１を含み、その二個の穴パレット１１上の穴格子１２は、単一の穴格子１２を互い違いの方式で配置する。二個の穴パレット１１から構成された苗育成装置１０の穴格子１２の配置方式は、図３及び図９に示すとおりで、単列の穴格子１２を互い違いの配置、もしくは図１０に示す単列穴格子１２を二列の穴格子１２に対応させて互い違いの方式で配置するか、もしくは図１１及び図１２に示すように、三個の穴パレット１１を含み、その三個の穴パレット１１上の穴格子１２は、個別に互い違いに対応する二列の穴格子１２が交錯する方式の配置を採用する。または各一組の苗育成装置１０は、図１３に示すとおり、四個の穴パレット１１を含み、更に四個の穴パレット１１上の穴格子１２は、単列が互い違いで、個別に交錯配置する方式を採用する。
【００１６】
上述の種苗育成装置の穴パレット数量及び穴格子配置方式は、主に平面空間に穴格子を配列する数量を複数個の穴パレット上に等しく分けるため、各穴パレット上の種苗のピッチを大幅に広げて種苗に良好な生長空間を提供する。特に各穴パレット上の穴格子ピッチは種苗を畑に移植した後の生長の要求に符合し、種苗を移植した後の栽培に有利である。更に単位の種苗全体を直接畑に移植できるので、種苗の移植作業が大幅に軽減される。
【００１７】
本考案の技術内容及び技術は、上述に示すとおりである。しかしながら、本案に詳しい技術者が本考案提示に基づき、各種の本考案精神から外れない入れ替え及び修飾を行うことも考えられる。そのため、本考案の保護範囲は実施例に制限されず、各種本考案に依る入れ替え及び修飾は、すべて本考案の請求範囲に属することとする。
【図面の簡単な説明】
【００１８】
【図１】第一種公知穴パレットの使用状態指示図
【図２】第二種公知穴パレットの使用状態指示図
【図３】本考案第一実施例の苗育成装置構造分解図
【図４】本考案第一実施例の苗育成装置内の穴パレット重畳状態図
【図５】本考案第二実施例の苗育成装置構造分解図
【図６】本考案第二実施例の苗育成装置使用方式図
【図７】本考案第二実施例の苗育成装置内の穴パレット重畳状態図
【図８】本考案第二実施例の苗育成装置内の穴パレット移動設置状態図
【図９】本考案第三実施例の苗育成装置構造分解図
【図１０】本考案第四実施例の苗育成装置構造分解図
【図１１】本考案第五実施例の苗育成装置構造分解図
【図１２】本考案第五実施例の苗育成装置内の穴パレット重畳状態図
【図１３】本考案第六実施例の苗育成装置構造分解図
【符号の説明】
【００１９】
１０        苗育成装置
１１        穴パレット
１２        穴格子
１３        穿孔
２０        種苗
【図１】
0003142187.tif 000003
【図２】
0003142187.tif 000004
【図３】
0003142187.tif 000005
【図４】
0003142187.tif 000006
【図５】
0003142187.tif 000007
【図６】
0003142187.tif 000008
【図７】
0003142187.tif 000009
【図８】
0003142187.tif 000010
【図９】
0003142187.tif 000011
【図１０】
0003142187.tif 000012
【図１１】
0003142187.tif 000013
【図１２】
0003142187.tif 000014
【図１３】
0003142187.tif 000015